(57)【要約】【要約書】【課題】  火災発生時に防火機能を発揮することができると共に、各種物品の低温保管機能も有する防火設備を提供する。【解決手段】地中１０に埋設した状態で、十分な機械的強度を有し、かつ、熱伝導率の高い鋼鉄製水槽からなる防火水槽１１を設置する。防火水槽１１上を覆う状態で地上に家屋１２を設置する。家屋１２の床部１３の一部を下方に向けて伸延することによって床下収納庫１４を形成し、床下収納庫１４を防火水槽１１内の防火用水１５中に浸漬する。床下収納庫１４内には各種物品１６が収納されている。このように、床下収納庫１４を、家屋１２の遮熱効果によって低温に保持される防火水槽１１内の防火用水１５中に浸漬するようにしたので、床下収納庫１４を一定温度の低温に保持することができ、物品等の保管効果を高めることができる。【選択図】    図１
2005052570.tif 000002
【特許請求の範囲】
【請求項１】
地中に埋設した状態で防火水槽を設置し、前記防火水槽上を覆う状態で地上に建築物を設置し、同建築物の床部の一部を下方に向けて伸延して床下収納庫を設け、同床下収納庫を前記防火水槽内の防火用水中に浸漬したことを特徴とする防火設備。
【請求項２】
地上に防火水槽を設置し、前記防火水槽上を覆う状態で地上に高床式の建築物を設置し、同建築物の床部の一部を下方に向けて伸延して床下収納庫を設け、同床下収納庫を前記防火水槽内の防火用水中に浸漬したことを特徴とする防火設備。
【請求項３】
地中に埋設した状態で防火水槽を設置し、前記防火水槽上を覆う状態で地上に遮熱板を設置し、収納庫の一部を前記防火水槽内の防火用水中に浸漬したことを特徴とする防火設備。
【請求項４】
地上に防火水槽を設置し、前記防火水槽上を覆う状態で地上に遮熱板を設置し、収納庫の一部を前記防火水槽内の防火用水中に浸漬したことを特徴とする防火設備。
【請求項５】
前記遮熱板が太陽電池パネルからなることを特徴とする請求項３又は４記載の防火設備。
【請求項６】
地上又は地中に埋設した防火水槽内の防火用水中に収納庫を浸漬し、前記収納庫を収納庫支持部材で支持したことを特徴とする防火設備。
【請求項７】
前記防火水槽が鋼鉄製水槽からなることを特徴とする請求項１〜６のいずれかに記載の防火設備。
【発明の詳細な説明】
【技術分野】
【０００１】
本発明は、火災発生時に防火機能を発揮することができると共に、各種物品の低温保管機能も有する防火設備に関する。
【背景技術】
【０００２】
従来、家屋等に火災が発生した場合、その近傍に十分な量の防火用水が確保されていれば、消火作業を確実且つ迅速に行なうことができる。そこで、家屋等の近傍に防火水槽を設けたものがある。このような防火水槽は、通常は、本来の目的の他に、水中ポンプなどを用いて防火用水を汲み上げ、庭への散水、トイレの雑用水、車の洗浄等にも用いられている、
【０００３】
しかし、従来、上記した防火設備は専ら家屋等が建てられている個所と並設して、または、その近傍に配置されているため、独自の占有面積が必要となる、
また、上記した防火用水の使用は以上のような限定された用途にしか用いられておらず、防火用水の有効利用を図るという観点からは未だ不十分である。
【発明の開示】
【発明が解決しようとする課題】
【０００４】
本発明は上記した従来の問題点を解決し、防火用水独自の占有空間を無くして土地の有効利用を図ることができると共に、収納庫の温度調節にも効果的に用いることができる防火設備を提供することを目的とする。
【課題を解決するための手段】
【０００５】
本発明の上記した目的を達成するための防火設備の代表的な構成を列挙すると、以下の通りである。
【０００６】
（１）地中に埋設した状態で防火水槽を設置し、防火水槽上を覆う状態で地上に建築物を設置し、建築物の床部の一部を下方に向けて伸延して床下収納庫を設け、床下収納庫を防火水槽内の防火用水中に浸漬したことを特徴とする。ここで、「地中に埋設した状態」とは、防火水槽の全体が地中に埋設された場合のみならず、その一部が地中に埋設された場合も含む。
このような構成によって、実質的に防火水槽と建築物とを同一個所に設置できるので、防火用水独自の占有空間を無くして土地の有効利用を図ることができる。また、床下収納庫を、建築物の遮熱効果によって低温に保持される防火水槽内の防火用水中に浸漬するようにしたので、床下収納庫を一定温度の低温に保持することができ、物品等の保管効果を高めることができる。特に、この場合のように、防火水槽の全部又はその一部を地中に埋設した場合は、防火水槽内の防火用水をさらに外気から遮断して、防火用水の温度をより一定の低温度に保持することができる。
【０００７】
（２）地上に防火水槽を設置し、防火水槽上を覆う状態で地上に高床式の建築物を設置し、建築物の床部の一部を下方に向けて伸延して床下収納庫を設け、床下収納庫を防火水槽内の防火用水中に浸漬したことを特徴とする。
この場合も、実質的に防火水槽と建築物とを同一個所に設置できるので、防火用水独自の占有空間を無くして土地の有効利用を図ることができる。また、床下収納庫を、建築物の遮熱効果によって低温に保持される防火水槽内の防火用水中に浸漬するようにしたので、床下収納庫を一定温度の低温に保持することができ、物品等の保管効果を高めることができる。
【０００８】
（３）地中に埋設した状態で防火水槽を設置し、防火水槽上を覆う状態で地上に遮熱板を設置し、収納庫の一部を防火水槽内の防火用水中に浸漬したことを特徴とする。ここで、「地中に埋設した状態」とは、防火水槽の全体が地中に埋設された場合のみならず、その一部が地中に埋設された場合も含む。
このような構成によって、遮熱板の遮熱効果によって低温に保持される防火水槽内の防火用水中に収納庫を浸漬するようにしたので、収納庫を一定温度の低温に保持することができ、物品等の保管効果を高めることができる。特に、この場合のように、防火水槽の全部又はその一部を地中に埋設した場合は、防火水槽内の防火用水をさらに外気から遮断して、防火用水の温度をより一定の低温度に保持することができる。
【０００９】
（４）地上に防火水槽を設置し、防火水槽上を覆う状態で地上に遮熱板を設置し、収納庫の一部を防火水槽内の防火用水中に浸漬したことを特徴とする。
このような構成によって、遮熱板の遮熱効果によって低温に保持される防火水槽内の防火用水中に浸漬するようにしたので、収納庫を一定温度の低温に保持することができ、物品等の保管効果を高めることができる。
【００１０】
（５）上記した構成(４)又は（５）において、遮熱板が太陽電池パネルからなることを特徴とする。
このような構成とすることにより、太陽電池パネルを利用して上記した遮熱効果を図ることができると共に、太陽熱発電も行なうことができる。
（６）地上又は地中に埋設した防火水槽内の防火用水中に収納庫を浸漬し、前記収納庫を収納庫支持部材で支持したことを特徴とする。
このような構成とすることによって構造を簡素化でき、収納庫を低温に保持できる防火設備を安価に製作することができる。
【００１１】
（７）上記した構成(１)〜（６）のいずれかにおいて、防火水槽が鋼鉄製水槽からなることを特徴とする。
このような構成によって、地震などがあっても、機械的強度がコンクリート製水槽と比較して著しく高い鋼鉄製水槽の使用によって、防火水槽が破損又は破壊されるのを確実に防止することができる。また、鋼鉄製水槽は熱伝導率が高いので、防火水槽内の防火用水の保有する熱を鋼鉄製水槽を通して地中に放散でき、この面からも防火用水の低温化を図ることができ、床下収納庫や収納庫を低温に保持できる。
【発明の効果】
【００１２】
このように、本発明では、建築物の一部を床下収納庫として防火水槽内に浸漬したものにあっては、建築物の設置空間を利用して防火水槽を設置でき、土地の有効利用を図ることができると共に、建築物が遮熱構造体として機能するので、防火水槽内の防火用水を低温に維持でき、この防火用水中に浸漬した床下収納庫の低温保温が可能となり、年間を通じて収納物品の低温保存を図ることができる。
また、地上に防火水槽を設置し、地上に防火水槽上を覆う状態で遮熱板を設置し、収納庫の一部を前記防火水槽内の防火用水中に浸漬したものにあっても、遮熱板によって防火水槽内の防火用水を低温に維持でき、この防火用水中に浸漬した収納庫の低温保温が可能となり、年間を通じて収納物品の低温保存を図ることができる。
さらに、建築物や遮蔽板を防火水槽の上部に設置しない場合は、保温機能が幾分劣るが、防火水槽中に収納庫を浸漬することにより、収納庫の低温保温が可能となり、年間を通じて同様に収納物品の低温保存を図ることができる。
【発明を実施するための最良の形態】
【００１３】
以下、添付図面を参照しつつ、本発明をより詳細に説明する。
(第１の実施の形態)
本実施の形態に係る防火設備Ａについて、図１を参照して説明する。
図１に示すように、本実施の形態では、地中１０に埋設した状態で防火水槽１１が設置されている。防火水槽１１は十分な機械的強度を有し、かつ、熱伝導率の高い鋼鉄製水槽から構成されている。また、好ましくは、鋼鉄としては不錆鋼であるステンレス鋼を用いることもできるが、コストの面から、少なくとも内面側を防錆処理した鋼鉄を用いるのが好ましい、なお、本実施の形態では、防火水槽１１は地中に完全に埋設されているが、その一部（下部）のみを埋設することもできる。
【００１４】
また、このような防火水槽１１上を覆う状態で地上に建築物の一例である家屋１２が設置されている。家屋１２の床部１３の一部を下方に向けて伸延することによって床下収納庫１４が設けられており、床下収納庫１４の下部は防火水槽１１内の防火用水１５中に十分な長さで浸漬されている。なお、床下収納庫１４内には各種物品１６が収納されている。床下収納庫１４も、十分な機械的強度や高い熱伝導率を確保する観点から鋼鉄製の中空構造体とするのが好ましい。
なお、図示の実施の形態における、その他の構成について説明すると、図１において、１７は防火水槽１１内の防火用水を散水等のために外部へ取り出すために用いる排水ポンプ、１８は床下収納庫１４に出入りするための昇降用手摺り、１９は防火水槽１１内の定期的清掃を行なうための昇降用手摺りである。
【００１５】
次に上記した構成を有する防火設備の使用方法又はその機能について説明する。
家屋１２等に火災が発生した場合、防火水槽１１内には十分な量の防火用水１５が確保されているので、消火作業を確実且つ迅速に行なうことができる。
一方、日常的には、床下収納庫１４を、家屋１２の遮熱効果によって低温に保持される防火水槽１１内の防火用水１５中に浸漬するようにしたので、床下収納庫１４を一定温度の低温に保持することができ、物品等の保管効果を高めることができる。特に、この場合のように、防火水槽１１の全部（又はその一部）を地中１０に埋設した場合は、防火水槽１１内の防火用水１５をさらに外気から遮断して、防火用水１５の温度をより一定の低温度に保持することができる。
また、本実施の形態では、防火水槽１１を鋼鉄製水槽としている。このような構成によって、地震などがあっても、機械的強度がコンクリート製水槽と比較して著しく高い鋼鉄製水槽の使用によって、防火水槽１１が破損又は破壊されるのを確実に防止することができる。また、鋼鉄製水槽は熱伝導率が高いので、防火水槽１１内の防火用水１５の保有する熱を鋼鉄製水槽を通して地中に放散でき、この面からも防火用水１５の低温化を図ることができ、床下収納庫１４を低温に保持できる。
【００１６】
なお、上記した実施の形態においては、防火水槽１１を地中１０に埋設した場合について説明してきたが、地上に防火水槽を設置し、防火水槽上を覆う状態で地上に高床式の建築物を設置し、建築物の床部の一部を下方に向けて伸延して床下収納庫を設け、床下収納庫を防火水槽内の防火用水中に浸漬した構成とすることもできる。
この場合も、実質的に防火水槽と建築物とを同一個所に設置できるので、防火用水独自の占有空間を無くして土地の有効利用を図ることができる。また、床下収納庫を、建築物の遮熱効果によって低温に保持される防火水槽内の防火用水中に浸漬するようにしたので、床下収納庫を一定温度の低温に保持することができ、物品等の保管効果を高めることができる
【００１７】
（第２の実施の形態）
本発明の第２の実施の形態にかかる防火設備Ｂについて、図２を参照して説明する。
本実施の形態は、地中２０に埋設した状態で防火水槽２１を設置し、防火水槽２１上を覆う状態で地上に遮熱板２２を設置し、収納庫２３の一部を防火水槽２１内の防火用水２４中に浸漬したことを特徴とする。ここで、「地中に埋設した状態」とは、防火水槽２１の全体が地中に埋設された場合のみならず、その一部が地中に埋設された場合も含む。
このような構成によって、遮熱板２２の遮熱効果によって低温に保持される防火水槽２１内の防火用水２４中に収納庫２３を浸漬するようにしたので、収納庫２３を一定温度の低温に保持することができ、物品２５等の保管効果を高めることができる。特に、この場合のように、防火水槽２１の全部又はその一部を地中２０に埋設した場合は、防火水槽２１内の防火用水２４をさらに外気から遮断して、防火用水２４の温度をより一定の低温度に保持することができる。
【００１８】
また、本実施の形態においても、防火水槽２１を鋼鉄製水槽としている。このような構成によって、地震などがあっても、機械的強度がコンクリート製水槽と比較して著しく高い鋼鉄製水槽の使用によって、防火水槽２１が破損又は破壊されるのを確実に防止することができる。また、鋼鉄製水槽は熱伝導率が高いので、防火水槽２１内の防火用水２４の保有する熱を鋼鉄製水槽を通して地中に放散でき、この面からも防火用水２４の低温化を図ることができ、収納庫２３を低温に保持できる。
さらに、遮熱板２２が太陽電池パネルから構成したので、太陽電池パネルを利用して上記した遮熱効果を図ることができると共に、太陽熱発電も行なうことができる。
【００１９】
図示の実施の形態におけるその他の構成について説明すると、遮熱板２２は、その対向端が防火水槽２１の中央部に向けて下方に傾斜しながら伸延する一対の分割遮熱板２６，２７から構成されており、両分割遮熱板２６，２７の伸延端は一定の間隙をあけて重合されている。かかる構成によって、両分割遮熱板２６，２７を集水板として用いることができ、遮熱板２２上に降った雨水を効果的に防火水槽２１内に流入して、防火用水として用いることができる。また、２８はオーバーフロー管、２９は散水噐３０に水を供給するための排水ポンプであり、太陽電池パネルによって発生した電力を利用して駆動されるものである。
なお、上記した実施の形態においては、防火水槽２１を地中２０に埋設した場合について説明してきたが、防火水槽上を覆う状態で地上に遮熱板を設置し、収納庫の一部を防火水槽内の防火用水中に浸漬した構成とすることもできる。
この場合も、実質的に防火水槽と遮熱板とを同一個所に設置できるので、防火用水独自の占有空間を無くして土地の有効利用を図ることができる。また、床下収納庫を、遮熱板の遮熱効果によって低温に保持される防火水槽内の防火用水中に浸漬するようにしたので、床下収納庫を一定温度の低温に保持することができ、物品等の保管効果を高めることができる。
【００２０】
(第３の実施の形態)
本実施の形態に係る防火設備Ｃについて、図３を参照して説明する。
図３に示すように、本実施の形態では、地中４０に埋設した状態で防火水槽４１が設置されている。防火水槽４１は十分な機械的強度を有し、かつ、熱伝導率の高い鋼鉄製水槽から構成されている。また、好ましくは、鋼鉄としては不錆鋼であるステンレス鋼を用いることもできるが、コストの面から、少なくとも内面側を防錆処理した鋼鉄を用いるのが好ましい、なお、本実施の形態では、防火水槽４１は地中に完全に埋設されているが、その一部（下部）のみを埋設することもできる。
【００２１】
また、このような防火水槽４１上を覆う状態で収納庫支持部材の一例である天板４２が設置されている。天板４２の下面には収納庫４３の上端部が固着支持されており、収納庫４３の下部は防火水槽４１内の防火用水４４中に十分な長さで浸漬されている。なお、収納庫４３内には各種物品４５が収納されている。床下収納庫４３も、十分な機械的強度や高い熱伝導率を確保する観点から鋼鉄製の中空構造体とするのが好ましい。
なお、図示の実施の形態における、その他の構成について説明すると、図３において、４６は防火水槽４１内の防火用水を散水等のために外部へ取り出すために用いる排水ポンプ、４７は収納庫４３内に出入りするための昇降用手摺り、４８は防火水槽４１内の定期的清掃を行なうための昇降用手摺りである。
本実施の形態では、建築物や遮蔽板を防火水槽の上部に設置しないので、保温機能が幾分劣るが、防火水槽中に収納庫を浸漬することにより、他の実施の形態と同様に収納庫の低温保温が可能となり、年間を通じて同様に収納物品の低温保存を図ることができる。また、本実施の形態では防火設備の構造を簡素化できるので、安価に製作することができる。
【産業上の利用可能性】
【００２２】
本発明に係る防火設備は一般家屋のみならず、オフィスビルディング、各種公共施設に用いることができ、また、建築物がない場合でも、防火水槽上に遮熱板を設置するだけで、屋外に容易に設置できる。
【図面の簡単な説明】
【００２３】
【図１】本発明の第１の実施の形態に係る防火設備の断面正面図である。
【図２】本発明の第２の実施の形態に係る防火設備の断面正面図である。
【図３】本発明の第３の実施の形態に係る防火設備の断面正面図である。
【符号の説明】
【００２４】
Ａ  防火設備
Ｂ  防火設備
Ｃ  防火設備
１０  地中
１１  防火水槽
１２  家屋
１３  床部
１４  床下収納庫
１５  防火用水
１６  物品
１７  排水ポンプ
１８  昇降用手摺り
１９  昇降用手摺り
２０  地中
２１  防火水槽
２２  遮熱板
２３  収納庫
２４  防火用水
２５  物品
２６  分割遮熱板
２７  分割遮熱板
２８  オーバーフロー管
２９  排水ポンプ
３０  散水噐
４０  地中
４１  防火水槽
４２  天板
４３  収納庫
４４  防火用水
４５  物品
４６  排水ポンプ
４７  昇降用手摺り
４８  昇降用手摺り
【図１】
2005052570.tif 000003
【図２】
2005052570.tif 000004
【図３】
2005052570.tif 000005